(57)【要約】【課題】  堅固で剛性の高い折畳み式ごみ箱のフレームを構成しながら軽量で、既設の構造物である被取付部材を選ばず、モニュメント、緑化物等の取付けも可能である。【解決手段】  折畳み自在な前面扉３Ａ、３Ｂおよび側面扉４、５を収容する折畳み式ごみ箱フレームにおいて、前記フレームが、既設構造物８への取付体を構成する背面板２と、前記折り畳まれた前面扉３Ａ、３Ｂおよび側面扉４、５を収容して覆う揺動蓋１Ａを支持する固定蓋１Ｂと、背面板２の下部に設置された台座６から構成され、これらのフレームに多数の取付孔１Ｈ、２Ｈを全面に穿設したことにより、高い剛性のフレームを構成しつつ多数の取付孔の穿設により軽量化が図れると同時に、多数の取付孔２Ｈを利用して、既設の構造物である電柱８やフェンス等の被取付部材のどのような形態のものにも、Ｕボルトや番線を使用して折畳み式ごみ箱を確実かつ安全に設置することができる。【選択図】  図１
2005324894.tif 000002
【特許請求の範囲】
【請求項１】
折畳み自在な前面扉および側面扉を収容する折畳み式ごみ箱フレームにおいて、前記フレームが、既設構造物への取付体を構成する背面板と、前記折り畳まれた前面扉および側面扉を収容して覆う揺動蓋を支持する固定蓋と、背面板下部に設置された台座から構成され、これらのフレームに多数の取付孔を全面に穿設したことを特徴とする折畳み式ごみ箱フレーム。
【請求項２】
前記台座の下部にキャスタを設置したことを特徴とする請求項１に記載の折畳み式ごみ箱フレーム。
【請求項３】
前記前面扉および側面扉の下部にキャスタを設置したことを特徴とする請求項１または２に記載の折畳み式ごみ箱フレーム。
【請求項４】
前記フレームの固定蓋に取付孔を用いてモニュメント、緑化物等の展示物を取り付けたことを特徴とする請求項１から３のいずれかに記載の折畳み式ごみ箱フレーム。
【発明の詳細な説明】
【技術分野】
【０００１】
本発明は、折畳み自在な前面扉および側面扉を収容する折畳み式ごみ箱フレームに関する。
【背景技術】
【０００２】
近年のように、食生活が充実し多大なる物資が満ち溢れてくると、各家庭は言うに及ばず、各種の事業所、高速道路のサービスエリア、病院、鉄道の駅舎等人々が多く集まるところでは、多量のごみが放出され、地球環境の劣化や資源の枯渇等の問題を招いている。このようなことから、ごみの収集は各地域にとって特に重要な問題となっている。各地域では、ごみの種類に応じた収集日を決めて分別収集を行う等、鋭意知恵を絞っているところである。しかしながら、ごみを回収したごみ箱がカラスや猫等の被害に遭ったり、ごみの収集日以外にも、ごみ箱が私道や歩道を専有する等、市民生活に様々な影響が出ているところである。そのようなことから、ごみの収集日以外には歩道等を専有することが少なく、カラスや猫等の被害からもごみを保護することができる折畳み式のごみ箱が提案されて使用されている（例えば下記特許文献１および２参照）。
【特許文献１】特開平１１−１１６００１号公報（段落００１４参照）
【特許文献２】特開２００３−８１２６４号公報（請求項１参照）
【発明の開示】
【発明が解決しようとする課題】
【０００３】
図６により、前記特許文献１に開示された折畳み自在のごみ収集ステーションを説明する。下端を地中埋め込みして立設するように用いる二つの支柱１４２に、正面および背面フレーム１０１および１０２の枠材に設置した倒れ止め手段１４１が、ロープ、チェーン、錠等により一体的に連結固定される。ごみ収集ステーションは、仕切りパネル１３０または開き戸１３１を有するフレーム構成とし、正面および背面のフレーム１０１および１０２間に側面フレーム１０３を谷折り曲折自在にヒンジ１２０連結するとともに、背面のフレーム１０２に底面フレーム１０５を上向き起倒自在にヒンジ１２０連結し、かつ上面フレーム１０６を下向きの起倒と開閉自在に２重のヒンジで連結して、全体を折り畳めるように構成したものである。
【０００４】
図７により、前記特許文献２に開示された折畳式収納箱を説明する。箱基部２０１と、該箱基部２０１に対して折り畳み収納される展開部２０２と、該展開部２０２の上面を塞ぐ蓋体２０３と、前記展開部２０２の底面を塞ぐ底面壁２０４とから構成される。展開状態での展開部２０２の上面を蓋体２０３で塞いだ状態において、蓋体２０３の蓋周枠２２９を展開部２０２の上端に係合させて、蓋体２０３で展開部２０２の箱形状を確実に保持できるようにしたものである。
【０００５】
このような構成によって、いずれのものも、ごみの収集日以外にはごみ箱をコンパクトに折り畳んでおくことができるので、ごみ箱が私道や歩道を専有することを抑制できて、市民生活への影響を最小限にすることができる。また、ごみの収集日に組み立てられて使用されるごみ箱内のごみがカラスや猫等の被害に遭う虞れがなくなった。
【０００６】
しかしながら、図６に示した前者の第１従来例のものでは、地中埋め込みして立設するように用いる二つの支柱１４２に対して、全体を折り畳めるようにしたごみ箱を連結固定するように構成したので、専用の埋設支柱を必要としてコストアップを招いた。
【０００７】
また、図７に示した後者の第２従来例のものでは、箱形状に展開した状態において蓋体２０３を塞ぐことによって、確実に箱形状を保持してぐらつきを防止するものである。したがって、箱基部２０１内に折り畳んで格納したごみ箱はコンパクトになるものの、全体として均一な重量物となって、少しの風等の風圧を受けても転倒し易く、現場に放置することは不可能であるため、ごみ収集日のみに設置するタイプとして使用されている。
【０００８】
そこで、本件発明者は、前記従来の折畳み式ごみ箱の諸課題を解決して、必要な場合には運搬が可能であるが、折り畳んだ状態にても安定して倒伏の虞れがなく現場に放置することが可能で、老人子供でも取り扱いが容易に行え、多くの既存の構築物に取り付けることも可能な図５に示す定置型折畳み式ごみ箱を提案した（特願２００４−６０２）。
【０００９】
前記定置型折畳み式ごみ箱について簡単に説明する。図５（Ｃ）に示すように、ごみ箱の背面板２の両端部は、断面凸形状の取付支柱７の脚部７Ｌにおける平面部の第１取付孔７Ａの幾つかを利用して固定される。重量物である台座６の重し機能によって、折り畳んだ状態にてもごみ箱を充分に自立させて起立しておくことが可能である。必要であれば、脚部７Ｌの平面部および側面部における第１取付孔７Ａおよび第２取付孔７Ｂを選択的に利用して、比較的多様に既存の構築物、例えばフェンス支柱８等への固定形態を選定することができる。平面部の第１取付孔７Ａを利用したＵボルト９による取付け、側面部の第２取付孔７Ｂを利用した番線１０を利用した取付け等、適宜の方式が採用され得る。
【００１０】
図５（Ａ）に示すように、前面扉３を矢印のように手前前面に展開した状態にて、揺動蓋１Ａを前面扉３および左右の側面扉４、５の上に載置してごみ箱の組立てを完成させる。ごみの投入者は、主として揺動蓋１Ａを開いてゴミを投入するが、前面扉３Ａ、３Ｂを開扉して投入することもできる。ごみの回収業者等は、前面扉３Ａ、３Ｂを開扉してごみを回収した後、図５（Ａ）の矢印のように前面扉３を背面板２の方に押し付けると同時に、側面扉４、５における交差したフレーム４Ｂ、４Ｃおよび５Ｂ、５Ｃを折り畳んだ後、揺動蓋１Ａを揺動させてごみ箱の折畳みを完了する。この状態にても重量物である台座６の存在により、ごみ箱が安定して起立することができ、倒伏することがない。
【００１１】
本発明は、前記本件発明者の提案になる定置型折畳み式ごみ箱をさらに改良して、堅固で剛性の高い折畳み式ごみ箱のフレームを構成しながら軽量で、既設の構造物である被取付部材を選ばず、モニュメント、緑化物等の展示物の取付けも可能な折畳み式ごみ箱のフレームを提供することを目的とする。
【課題を解決するための手段】
【００１２】
本発明は、折畳み自在な前面扉および側面扉を収容する折畳み式ごみ箱フレームにおいて、前記フレームが、既設構造物への取付体を構成する背面板と、前記折り畳まれた前面扉および側面扉を収容して覆う揺動蓋を支持する固定蓋と、背面板下部に設置された台座から構成され、これらのフレームに多数の取付孔を全面に穿設したことを特徴とする。また本発明は、前記台座の下部にキャスタを設置したことを特徴とする。また本発明は、前記前面扉および側面扉の下部にキャスタを設置したことを特徴とする。また本発明は、前記フレームの固定蓋に取付孔を用いてモニュメント、緑化物等の展示物を取り付けたことを特徴とするもので、これらを課題解決のための手段とするものである。
【発明の効果】
【００１３】
このような構成により、本発明は、折畳み自在な前面扉および側面扉を収容する折畳み式ごみ箱フレームにおいて、前記フレームが、既設構造物への取付体を構成する背面板と、前記折り畳まれた前面扉および側面扉を収容して覆う揺動蓋を支持する固定蓋と、背面板下部に設置された台座から構成され、これらのフレームに多数の取付孔を全面に穿設したことにより、高い剛性のフレームを構成しつつ多数の取付孔の穿設により軽量化が図れると同時に、これらの多数の取付孔を利用して、既設の構造物である電柱やフェンス等の被取付部材のどのような形態のものにも、Ｕボルトや番線を使用して折畳み式ごみ箱を確実かつ安全に設置することができる。
【００１４】
また、前記台座の下部にキャスタを設置した場合は、例えば１つの既設電柱を利用して折畳み式ごみ箱のフレームを取り付けた場合に、前記既設電柱の周囲の状況に応じて折畳み式ごみ箱の向きを調節すべく、容易かつ自在に回転させることが可能となって、ごみ箱の設置の自由度を向上させることができる。さらに、前記前面扉および側面扉の下部にキャスタを設置した場合は、格納および展開の際の前面扉および側面扉の動きを円滑にすることができる。
【００１５】
さらにまた、前記フレームの固定蓋に取付孔を用いてモニュメント、緑化物等の展示物を取り付ける場合は、ごみ集積所に設置しても通行の妨げにならない折畳み式ごみ箱のイメージをさらに改善すべく、モニュメント、緑化物等の展示物を容易に取り付けることが可能となる。
【発明を実施するための最良の形態】
【００１６】
以下、本発明の実施例を図面に基づいて詳細に説明する。図１は本発明の折畳み式ごみ箱フレームの第１実施例を示すもので、左右の側面扉および左右の前面扉が鉛直軸の周りに折畳み格納自在に構成されたものである。図２は本発明の折畳み式ごみ箱フレームの第２実施例を示すもので、左右の側面扉が前後方向に左右の前面扉が鉛直軸の周りに折畳み格納自在に構成されたものである。図３は本発明の折畳み式ごみ箱フレームの第３実施例を示し、図４は本発明の折畳み式ごみ箱フレームの第４実施例を示すもので、本発明の基本的な構成は、図１に示すように、折畳み自在な前面扉３Ａ、３Ｂおよび側面扉４、５を収容する折畳み式ごみ箱フレームにおいて、前記フレームが、既設構造物への取付体を構成する背面板２と、前記折り畳まれた前面扉３Ａ、３Ｂおよび側面扉４、５を収容して覆う揺動蓋１Ａを支持する固定蓋１Ｂと、背面板２の下部に設置された台座６から構成され、これらのフレームに多数の取付孔１Ｈ、２Ｈを全面に穿設したことを特徴とする。
【実施例１】
【００１７】
図１は本発明の折畳み式ごみ箱フレームの第１実施例を示す全体斜視図である。図ではフレームを構成する背面板２、固定蓋１Ｂおよび台座６のみが実線で描かれ、その他は一点鎖線で描かれている。フレームを構成する背面板２、固定蓋１Ｂおよび台座６は側面視でコ字形状を呈しており、鉛直状の背面板２の上端部から前方手前に延設された固定蓋１Ｂと、背面板２の下端部から前方手前に延設された台座６とから構成される。台座６の下部には一対のキャスタ２０、２１が設置されている。前記背面板２の両側縁部には、幾つかの蝶番から構成される鉛直軸（図示省略）の周りに側面扉４、５が折畳み格納自在に軸支される。これらの側面扉４、５のそれぞれの揺動端縁には、前記同様の鉛直軸（図示省略）の周りに前面扉３Ａ、３Ｂが折畳み格納自在に軸支される。
【００１８】
前記背面板２の上端部から前方手前に延設された固定蓋１Ｂの前縁には、幾つかの蝶番から構成される水平軸（図示省略）の周りに揺動蓋１Ａが軸支される。本発明では、これらの背面板２、固定蓋１Ｂおよび台座６からなるフレームの全面に多数の取付孔を構成する孔を穿設したものである。孔の形状、間隔、大きさ等は適宜選定できる。図面では台座６の孔は省略されている。前面扉３Ａ、３Ｂを手前前面に展開した状態にて、揺動蓋１Ａを前面扉３Ａ、３Ｂおよび左右の側面扉４、５の上に載置してごみ箱の組立てを完成させる。ごみの投入者は、主として揺動蓋１Ａを開いてゴミを投入するが、前面扉３Ａ、３Ｂを開扉して投入することもできる。
【００１９】
ごみの回収業者等は、前面扉３Ａ、３Ｂを開扉してごみを回収した後、例えば、右側面扉５に対して右前面扉３Ｂを先ず折り畳んで、さらに右側面扉５を背面部２に押し付けるように折り畳む（右前面扉３Ｂの幅が右側面扉５の幅より小さく構成されている）。同様にして、左側面扉４に対して左前面扉３Ａを先ず折り畳んで、さらに左側面扉４を背面板２の方に押し付けて、前面扉３Ａ、３Ｂおよび側面扉４、５折り畳んだ後、揺動蓋１Ａを揺動させてごみ箱の折畳みを完了する。
【００２０】
各扉や蓋が板状体により構成された場合には、重量増加を招くが、不透明でごみ内容物が見えず、清潔感に優れる他、カラスの被害に遇うことが防止されるが、各扉や蓋をネット状体により構成してもよい。扉は係止部材によって錠止可能に構成される他、歩行者や自転車が早朝使用時や夜間にごみ箱を視認し易いように、前面扉や側面扉に反射テープを貼設してもよい。また、折り畳んだごみ箱を取り巻くように反射ベルトを掛けるように構成してもよい。
【００２１】
このように構成したので、高い剛性のフレームを構成しつつ多数の取付孔の穿設により軽量化が図れると同時に、背面板２の任意の取付孔２Ｈの幾つかを用いて電柱や支柱等の既設構造物８が単一の場合でも、Ｕボルトや番線を使用して折畳み式ごみ箱を確実かつ安全に設置することができる。電柱等既設構造物８が単一の場合に、設置場所の制限によりごみ箱を回動せざるを得ない場合にも、台座６の下部のキャスタ２０、２１を用いて容易にごみ箱を既設構造物８を中心として回動することができる。取付孔２Ｈは背面板２の全面に穿設されていることによって、被取付物である既設構造物の形状や形態を選ぶことなく、高い自由度にて自在に折畳み式ごみ箱を既設構造物に取り付けることができる。背面板２の上部の固定蓋１Ｂに穿設された取付孔１Ｈを利用して、花のプランター等の緑化物、看板、モニュメント等の展示物を固定するための金具等を取り付けることができる。台座６の取付孔（図示省略）は軽量化は無論のこと、ごみ箱清掃後の排水を促進できる。
【実施例２】
【００２２】
図２は本発明の折畳み式ごみ箱フレームの第２実施例を示すもので、左右の側面扉４、５が前後方向に左右の前面扉３Ａ、３Ｂが鉛直軸の周りに折畳み格納自在に構成されたものである。本実施例では、ごみ箱の背面板２が既設のフェンス１９における多数の縦桟１９Ａに取付孔２Ｈを用いて取り付けられる。本実施例では前記実施例のように、フレームを構成する背面板２、固定蓋１Ｂおよび台座６は側面視でコ字形状を呈し、台座６の前方への突出し量は少ない。固定蓋１Ｂに対する揺動蓋１Ａの関連構成は前記実施例と同様である。本実施例では、背面板２の両側縁部に設置される側面扉４、５は、パンタグラフ状の格子扉を構成して、前後方向（背面板２の面に直交する方向）にのみ展開・格納が可能に構成されている。格子面にはネット等を張設してもよい。
【００２３】
これらの側面扉４、５のそれぞれの前縁部には、幾つかの蝶番から構成される鉛直軸（図示省略）の周りに前面扉３Ａ、３Ｂが揺動して折畳み格納自在に軸支される。これら扉の動作が円滑に行われるように、側面扉４、５の前縁部下部および前面扉３Ａ、３Ｂの揺動端縁下部には、それぞれキャスタ２２、２３および２４、２５が設置される。前記固定蓋１Ｂに軸支される揺動蓋１Ａおよび前面扉３Ａ、３Ｂは、不透明あるいは透明の板状体により構成されてもよいし、ネット状体により構成されてもよい。
【００２４】
本実施例のごみ箱を使用するには、左右の側面扉４、５を手前前面に展開させ、前面扉３Ａ、３Ｂを前記背面板２と平行に揺動・展開した状態にて、揺動蓋１Ａを前面扉３Ａ、３Ｂおよび左右の側面扉４、５の上に載置してごみ箱の組立てを完成させる。ごみの投入者は、主として揺動蓋１Ａを開いてゴミを投入するが、前面扉３Ａ、３Ｂを開扉して投入することもできる。ごみ箱の格納・折畳みは、両側面扉４、５を後方へ退避させた後、前面扉３Ａ、３Ｂを揺動させて折り畳み、次いで、揺動蓋１Ａを下方へ揺動させて、これらの折り畳んだ扉を収容する形態にて格納する。
【００２５】
このような構成により、高い剛性のフレームを構成しつつ多数の取付孔の穿設により軽量化が図れると同時に、背面板２の任意の取付孔２Ｈの幾つかを用いてＵボルトや番線を使用して折畳み式ごみ箱をフェンス等のように取付部が多数存在する場合にも、高い自由度にて確実かつ安全に設置することができる。本実施例でも、背面板２の上部の固定蓋１Ｂに穿設された取付孔１Ｈを利用して、花のプランター等の緑化物、看板、モニュメント等の展示物を固定するための金具等を取り付けることができる。台座６の取付孔（図示省略）は軽量化は無論のこと、ごみ箱清掃後の排水を促進できる。
【実施例３】
【００２６】
図３は本発明の折畳み式ごみ箱フレームの第３実施例を示す全体斜視図である。本実施例のものは、ごみ箱の背面板２を任意の取付孔２Ｈの幾つかを用いて電柱や支柱等の断面が円形の既設構造物８に取り付ける際で、設置場所の制限によりごみ箱を回動せざるを得ない場合に適用される。本実施例では、既設構造物である断面円形の電柱等８に対して、該電柱等８の外周の曲率とほぼ等しい曲率を有する三日月板２６をアタッチメントとして背面板２の背後に取り付けるものである。ごみ箱の背面板２の適宜の取付孔２Ｈの幾つか（図示の例では２つ）に三日月板２６に植設した取付ボルト２８、２８を挿入し、背面板２の前面に平板状の取付板２７を当接させて、前記取付ボルト２８、２８に取付ナット２９、２９を螺合する。これにより、三日月板２６をごみ箱の背面板２に取り付けることができる。該三日月板２６を既設構造物である電柱等８に当接させ、Ｕボルトや番線を使用して折畳み式ごみ箱を確実かつ安全に設置することができる。設置場所の制限によりごみ箱を回動せざるを得ない場合に、電柱等８に対して三日月板２６を介してごみ箱を円滑に回動させて園設置位置を容易に調整することができる。
【実施例４】
【００２７】
図４は本発明の折畳み式ごみ箱フレームの第４実施例を示すもので、背面板の製造工程図である。本実施例では、ごみ箱のフレームを構成する背面板２の製造コストをさらに低減するためにエキスパンド板材を使用した例である。図４（Ａ）に示すような全面の縦横に多数のスリット３１を穿設した方形のエキスパンド板３０を準備する。これを黒矢印のように左右両側から引っ張ることにより、図４（Ｂ）に示すような菱形状の多数の孔３１’、３１’が形成される。次いで、図４（Ｃ）に示すように、上下の各縁を折り込んで、それぞれ固定蓋１Ｂおよび台座６を形成する。中間起立部が背面板２となる。かくして、簡単かつ安価な製造方法により、フレームとしての固定蓋１Ｂ、背面板２および台座６に多数の取付孔３１’（１Ｈや２Ｈ）を形成することができる。
【００２８】
以上、本発明の実施例について説明してきたが、本発明の趣旨の範囲内にて、フレームを構成する背面板、固定蓋および台座の形状（板厚、それぞれの正面視形状、固定蓋および台座にあってはそれらの突出し量、三者による側面視形状）、形式および材質（金属や木製あるいはプラスチック等）ならびに取付孔の穿設形態（孔の形状は円形、楕円形、長口、角形、多角形、蜂の巣状等、孔の間隔、配列形態等）、前面扉、側面扉および揺動蓋の形状（前面扉については左右非対称形でもよい）、形式（板状体、ネット張設体の他、透明あるいは半透明樹脂体、ネットについては金網、樹脂製ネット等）およびそれらの設置形態（固定あるいは着脱形式等、揺動蓋については蝶番による揺動形態の他、復元ばねを内蔵した蝶番による撥ね上げ形式等）、台座用のキャスタ、側面扉および前面扉用のキャスタの形状、形式およびそれらの設置形態、固定蓋へのモニュメント、緑化物等の展示物の種類等については適宜選定できる。
【図面の簡単な説明】
【００２９】
【図１】本発明の折畳み式ごみ箱フレームの第１実施例を示すもので、単一の既設柱にごみ箱が取り付けられた例である。
【図２】本発明の折畳み式ごみ箱フレームの第２実施例を示すもので、フェンスにごみ箱が取り付けられた例である。
【図３】本発明の折畳み式ごみ箱フレームの第３実施例を示す全体斜視図である。
【図４】本発明の折畳み式ごみ箱フレームの第４実施例を示す背面板の製造工程図である。
【図５】本件発明者の提案になる定置型折畳み式ごみ箱の説明図である。
【図６】第１従来例の折畳み自在のゴミ収集ステーションの全体斜視図である。
【図７】第２従来例の折畳式収納箱の全体斜視図である。
【符号の説明】
【００３０】
１Ａ        揺動蓋
１Ｂ        固定蓋
１Ｈ        取付孔
２        背面板
２Ｈ        取付孔
３Ａ        左前面扉
３Ｂ        右前面扉
４        左側面扉
５        右側面扉
６        台座
８        既設構造物（電柱等）
１９        フェンス
２０、２１  台座キャスタ
２２、２３  側面扉キャスタ
２４、２５  前面扉キャスタ
２６        三日月板
２７        取付板
２８        取付ボルト
２９        取付ナット
３０        エキスパンド板
３１        スリット
【図１】
2005324894.tif 000003
【図２】
2005324894.tif 000004
【図３】
2005324894.tif 000005
【図４】
2005324894.tif 000006
【図５】
2005324894.tif 000007
【図６】
2005324894.tif 000008
【図７】
2005324894.tif 000009